(57)【要約】【課題】情報端末の筐体を裏返すことなく、且つ煩雑な操作無しに設置角度を変更できる角度設定構造を提供する。【解決手段】情報端末の筐体と、前記情報端末と回転自在に係合するスタンド軸を含むスタンドユニットと、前記情報端末と回転自在に係合して保持されるストッパ軸を含むストッパユニットと、からなる情報端末であって、前記ストッパユニットの保持構造は、前記ストッパ軸が軸方向に所定の距離を移動できる構造であって、前記ストッパ軸の端部が前記軸受部に挿入された状態で前記スタンドユニットの回転が止まり、前記ストッパ軸の端部が前記軸受部に挿入されていない状態で前記スタンドユニットが回転し、情報機器情報端末の設置角度を変更できるようにする。【選択図】図５
2016174080.tif 000002
【特許請求の範囲】
【請求項１】
情報端末の設置角度を調節および保持する角度設定構造において、
前記情報端末の筐体の所定の部位に設けられた第１の孔部と、
前記第１の孔部と回転自在に係合するスタンド軸を含むスタンドユニットと、
前記筐体の前記第１の孔部の近傍に設けられた第２の孔部と、
前記第２の孔部と対向する筐体の部位に設けられた貫通孔と、
前記第２の孔部および前記貫通孔と回転自在に係合して保持されるストッパ軸を含むストッパユニットと、
前記貫通孔を通過したストッパ軸の端部を受入れた場合に前記ストッパ軸の回転を止める軸受部と、
前記スタンドユニットに設けられた第１の高摩擦力部材と、
前記ストッパユニットに設けられた第２の高摩擦力部材と、を有し、
前記スタンド軸と前記ストッパ軸は、並行な軸であって、
前記第１の高摩擦力部材と前記第２の高摩擦力部材が加圧接触される状態となる位置関係に設置されており、
前記第２の孔部および前記貫通孔および前記軸受部による前記ストッパ軸の保持構造は、前記ストッパ軸が軸方向に所定の距離を移動できる構造であって、
前記ストッパ軸の端部が前記軸受部に挿入された状態で前記スタンドユニットの回転が止まり、前記ストッパ軸の端部が前記軸受部に挿入されていない状態で前記スタンドユニットが回転する構造であることを特徴とする情報端末の角度設定構造。
【発明の詳細な説明】
【技術分野】
【０００１】
本発明は、卓上で使用する情報端末における設置角度の設定構造に関する。
【背景技術】
【０００２】
従来の情報端末の設置角度設定構造として、筐体底部とスタンド部材が係合し、多段階の設置角度を設定するものがある（例えば、特許文献１）。
【０００３】
上述した特許文献１に記載の角度設定構造では、スタンド部材が筐体に嵌合する部位が限られている為、操作者は嵌合部を目視確認しながら作業しないと嵌合が困難であり、角度変更時には筐体を裏返して作業することになるため、操作が煩雑という問題があった。
【先行技術文献】
【特許文献】
【０００４】
【特許文献１】特開２００４−２６６０８７号公報
【発明の概要】
【発明が解決しようとする課題】
【０００５】
上記の問題を解決するために、本発明の課題は、筐体が戴置状態のままでも設置角度を変更することができ、且つ煩雑な操作無しに設置角度の設定ができる設置角度設定構造を提供することにある。
【課題を解決するための手段】
【０００６】
上記課題を解決するために、本発明は、情報端末の設置角度を調節および保持する角度設定構造において、前記情報端末の筐体の所定の部位に設けられた第１の孔部と、前記第１の孔部と回転自在に係合するスタンド軸を含むスタンドユニットと、前記筐体の前記第１の孔部の近傍に設けられた第２の孔部と、前記第２の孔部と対向する筐体の部位に設けられた貫通孔と、前記第２の孔部および前記貫通孔と回転自在に係合して保持されるストッパ軸を含むストッパユニットと、前記貫通孔を通過したストッパ軸の端部を受入れた場合に前記ストッパ軸の回転を止める軸受部と、前記スタンドユニットに設けられた第１の高摩擦力部材と前記ストッパユニットに設けられた第２の高摩擦力部材と、を有し、前記スタンド軸と前記ストッパ軸は、並行な軸であって、前記第１の高摩擦力部材と前記第２の高摩擦力部材が加圧接触される状態となる位置関係に設置されており、前記第２の孔部および前記貫通孔および前記軸受部による前記ストッパ軸の保持構造は、前記ストッパ軸が軸方向に所定の距離を移動できる構造であって、前記ストッパ軸の端部が前記軸受部に挿入された状態で前記スタンドユニットの回転が止まり、前記ストッパ軸の端部が前記軸受部に挿入されていない状態で前記スタンドユニットが回転する構造であることを特徴とする。
【発明の効果】
【０００７】
本発明によれば、情報端末の側面に設置された部材を操作することで設置角度の固定・解放を行う構造であり、操作者は情報端末裏側を目視する必要がないので、操作者は必ずしも筐体を裏返すことなく煩雑な操作無しに設置角度を設定できる角度設定構造を提供できる。
【図面の簡単な説明】
【０００８】
【図１】本発明の設置角度設定構造を有した情報端末の斜視図
【図２】情報端末の筐体の構成を示す斜視図
【図３】スタンドユニットの斜視図
【図４】ストッパユニットの斜視図
【図５】設置角度設定構造の斜視図
【図６】ストッパユニット固定時の設置角度設定構造の斜視図
【発明を実施するための形態】
【０００９】
以下、本発明の実施形態について図面を用いながら説明する。
【００１０】
図１は、本発明の設置角度設定構造を有した情報端末の斜視図である。
【００１１】
図示するように、本実施例における情報端末は、情報端末の筐体１１と、筐体１１と回転自在に係合されるスタンドユニット３２と、筐体１１と回転自在に係合されるストッパユニット４２と、から構成される。設置角度設定構造については後述する。
【００１２】
図２は、情報端末の筐体１１の構成を示す斜視図である。筐体１１は、スタンドユニット３２が回転自在に係合する１対の第１の孔部２１と、ストッパユニット４２が回転自在に係合する第１の孔部２２と、ストッパユニット４２が貫通し回転自在に係合する貫通孔２３と、ストッパユニット４２が嵌合する軸受部２４と、が設けられている。
【００１３】
図３は、スタンドユニット３２の斜視図である。スタンドユニット３２には第１の高摩擦力部材３１が設けられている。
【００１４】
図４は、ストッパユニット４２の斜視図である。ストッパユニット４２には第２の高摩擦力部材４１が設けられている。
【００１５】
図５は、設置角度設定構造の斜視図である。
【００１６】
情報端末の設置角度設定構造は、第１の孔部２１とスタンドユニット３２が回転自在に係合し、Ｃ方向およびＤ方向への回転を可能とし、第２の孔部２２および貫通孔２３とストッパユニット４２が回転自在に係合し、貫通孔２３によってストッパユニット４２は回転軸が保持され、またストッパユニット４２が軸線上をＡ方向およびＢ方向へ滑動することによって成される。
【００１７】
また、第１の高摩擦力部材３１と第２の高摩擦力部材４１は、互いに加圧接触される位置に配置され、スタンドユニット３２がＣ方向またはＤ方向に回転すると同時にストッパユニット４２も同時に回転し、情報端末の設置角度を設定することが出来る。スタンドユニット３２の回転中は、第１の高摩擦力部材３１と第２の高摩擦力部材４１は常に加圧接触を保持しながら、スタンドユニット３２の回動と伴って回転する。
【００１８】
図６は、ストッパユニット４２固定時の設置角度設定構造の斜視図である。
【００１９】
情報端末の設置角度を固定する際は、使用者が所望する角度を保持した状態で、ストッパユニット４２をＢ方向へ滑動させ、ストッパユニット４２の端部を軸受部２４に挿入する。この時ストッパユニット４２の軸受部２４への挿入は圧入によって成され、ストッパユニット４２の回転が軸止される。ストッパユニット４２が軸止されることで、加圧接触した第２の高摩擦力部材４１と第１の高摩擦力部材３１との間で回転に高負荷の摩擦力が生じスタンドユニット３２のＣ方向およびＤ方向への回転を抑制する。
【００２０】
以上、本発明の実施形態について説明した。
【００２１】
本発明の実施形態によれば、情報端末の設置角度を変更する際は、情報端末側面に設置されたストッパユニットを操作し、設置角度を固定・解放する。これにより、操作者は設置角度設定時に情報端末裏側を目視確認する必要が無い。これにより、操作者は必ずしも筐体を裏返すことなく、筐体を戴置状態のままでも煩雑な操作無しに設置角度を設定できる。
【００２２】
また、本発明の実施形態によれば、第１の高摩擦力部材３１と第２の高摩擦力部材４１及びストッパユニット４２と軸受部２４は、それぞれ所定の嵌合位置を有さず、設置角度設定の際は部材の摩擦力によって回動を軸止する。これにより、情報端末の設置角度は操作者の所望する無段階の設置角度を設定することができる。
【００２３】
尚、本発明では、ストッパユニット４２の固定を軸受部２４への圧入と表現しているが、互いの凹凸形状を組み合わせることによる嵌合によっても実現できる。
【符号の説明】
【００２４】
１１  情報端末の筐体
２１  第１の孔部
２２  第２の孔部
２３  貫通孔
２４  軸受部
３１  第１の高摩擦力部材
３２  スタンドユニット
４１  第２の高摩擦力部材
４２  ストッパユニット 
【図１】
2016174080.tif 000003
【図２】
2016174080.tif 000004
【図３】
2016174080.tif 000005
【図４】
2016174080.tif 000006
【図５】
2016174080.tif 000007
【図６】
2016174080.tif 000008